【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
マトリックス状に配置されたセルに数値データが記憶された第一の記憶手段から、前記セルをマージしてスコアリングモデルとして用いられる第二の記憶手段を生成するデータマージシステムであって、
異なる因子を座標軸とするマトリックス構造に配置されたセルに、各々の因子に該当するサンプルデータの件数を数値データとして記憶する第一の記憶手段と、
マージの基点として、前記第一の記憶手段において、第一のセルを選択する第一の選択手段と、
前記第一のセルに記憶された第一の数値データと予め設定された基準値とを比較する第一の比較手段と、
前記第一の数値データが前記基準値に満たない場合には、前記第一の数値データと、前記第一のセルと同一の列に隣接する第二のセルに記憶された第二の数値データの合計値を算出する算出手段と、
前記基準値と前記合計値とを比較する第二の比較手段と、
前記合計値が前記基準値を超える場合には、前記第二のセルを新たなマージの基点として選択し、前記合計値が前記基準値に満たない場合には、前記第一のセルと前記第二のセルをマージした第三のセルを設定して前記合計値を記憶させ、前記第三のセルを新たなマージの基点として選択する第二の選択手段と、
前記第二の選択手段が前記新たなマージの基点として選択するセルが列の最端にあってマージの方向に隣接するセルが存在しない場合には、前記新たなマージの基点として選択するセルが存在する列に隣接する列の最端のセルを、新たなマージの基点として選択する第三の選択手段と、
前記第一の記憶手段と同じマトリックス構造に配置されたセルに、前記第二の選択手段によるマージによって設定されたセルを反映して、各々のセルに含まれるサンプルデータの件数を数値データとして記憶する第二の記憶手段と、
を備えることを特徴とするデータマージシステム。
【請求項２】
マトリックス状に配置されたセルに数値データが記憶された第一の記憶手段から、前記セルをマージしてスコアリングモデルとして用いられる第二の記憶手段を生成するデータマージシステムであって、
異なる因子を座標軸とするマトリックス構造に配置されたセルに、各々の因子に該当するサンプルデータの件数を数値データとして記憶する第一の記憶手段と、
マージの基点として、前記第一の記憶手段において、第一のセルを選択する第一の選択手段と、
前記第一のセルに記憶された第一の数値データと予め設定された基準値とを比較する第一の比較手段と、
前記第一の数値データが前記基準値に満たない場合には、前記第一の数値データと、前記第一のセルと同一の列に隣接する第二のセルに記憶された第二の数値データの合計値を算出し、前記第一のセルと前記第二のセルをマージした第三のセルを設定して前記合計値を記憶させるマージ手段と、
前記基準値と前記合計値とを比較する第二の比較手段と、
前記合計値が前記基準値を超える場合には、前記第三のセルのマージの方向に隣接する第四のセルを新たなマージの基点として選択し、前記合計値が前記基準値に満たない場合には、前記第三のセルを新たなマージの基点として選択する第二の選択手段と、
前記第二の選択手段が新たなマージの基点として選択するセルが列の最端にあってマージの方向に隣接するセルが存在しない場合には、前記新たなマージの基点として選択するセルが存在する列に隣接する列の最端のセルを、新たなマージの基点として選択する第三の選択手段と、
前記第一の記憶手段と同じマトリックス構造に配置されたセルに、前記マージ手段によるマージによって設定されたセルを反映して、各々のセルに含まれるサンプルデータの件数を数値データとして記憶する第二の記憶手段と、
を備えることを特徴とするデータマージシステム。
【請求項３】
マトリックス状に配置されたセルに数値データが記憶された第一の記憶手段から、前記セルをマージしてスコアリングモデルとして用いられる第二の記憶手段を生成するデータマージシステムであって、
異なる因子を座標軸とするマトリックス構造に配置されたセルに、各々の因子に該当するサンプルデータの件数を数値データとして記憶する第一の記憶手段と、
マージの基点として、前記第一の記憶手段において、第一のセルを選択する第一の選択手段と、
前記第一のセルに記憶された第一の数値データと予め設定された基準値とを比較する第一の比較手段と、
前記第一の数値データが前記基準値に満たない場合には、前記第一の数値データと、前記第一のセルと同一の行に隣接する第二のセルに記憶された第二の数値データの合計値を算出する算出手段と、
前記基準値と前記合計値とを比較する第二の比較手段と、
前記合計値が前記基準値を超える場合には、前記第二のセルを新たなマージの基点として選択し、前記合計値が前記基準値に満たない場合には、前記第一のセルと前記第二のセルをマージした第三のセルを設定して前記合計値を記憶させ、前記第三のセルを新たなマージの基点として選択する第二の選択手段と、
前記第二の選択手段が新たなマージの基点として選択するセルが行の最端にあってマージの方向に隣接するセルが存在しない場合には、前記新たなマージの基点として選択するセルが存在する行に隣接する行の最端のセルを、新たなマージの基点として選択する第三の選択手段と、
前記第一の記憶手段と同じマトリックス構造に配置されたセルに、前記第二の選択手段によるマージによって設定されたセルを反映して、各々のセルに含まれるサンプルデータの件数を数値データとして記憶する第二の記憶手段と、
を備えることを特徴とするデータマージシステム。
【請求項４】
マトリックス状に配置されたセルに数値データが記憶された第一の記憶手段から、前記セルをマージしてスコアリングモデルとして用いられる第二の記憶手段を生成するデータマージシステムであって、
異なる因子を座標軸とするマトリックス構造に配置されたセルに、各々の因子に該当するサンプルデータの件数を数値データとして記憶する第一の記憶手段と、
マージの基点として、前記第一の記憶手段において、第一のセルを選択する第一の選択手段と、
前記第一のセルに記憶された第一の数値データと予め設定された基準値とを比較する第一の比較手段と、
前記第一の数値データが前記基準値に満たない場合には、前記第一の数値データと、前記第一のセルと同一の行に隣接する第二のセルに記憶された第二の数値データの合計値を算出し、前記第一のセルと前記第二のセルをマージした第三のセルを設定して前記合計値を記憶させるマージ手段と、
前記基準値と前記合計値とを比較する第二の比較手段と、
前記合計値が前記基準値を超える場合には、前記第三のセルのマージの方向に隣接する第四のセルを新たなマージの基点として選択し、前記合計値が前記基準値に満たない場合には、前記第三のセルを新たなマージの基点として選択する第二の選択手段と、
前記第二の選択手段が新たなマージの基点として選択するセルが行の最端にあってマージの方向に隣接するセルが存在しない場合には、前記新たなマージの基点として選択するセルが存在する行に隣接する行の最端のセルを、新たなマージの基点として選択する第三の選択手段と、
前記第一の記憶手段と同じマトリックス構造に配置されたセルに、前記第二の選択手段によるマージによって設定されたセルを反映して、各々のセルに含まれるサンプルデータの件数を数値データとして記憶する第二の記憶手段と、
を備えることを特徴とするデータマージシステム。
【手続補正２】
【補正対象書類名】明細書
【補正対象項目名】００１３
【補正方法】変更
【補正の内容】
【００１３】
本願にかかる課題を解決する第１の発明は、マトリックス状に配置されたセルに数値データが記憶された第一の記憶手段から、前記セルをマージしてスコアリングモデルとして用いられる第二の記憶手段を生成するデータマージシステムであって、異なる因子を座標軸とするマトリックス構造に配置されたセルに、各々の因子に該当するサンプルデータの件数を数値データとして記憶する第一の記憶手段と、マージの基点として、前記第一の記憶手段において、第一のセルを選択する第一の選択手段と、前記第一のセルに記憶された第一の数値データと予め設定された基準値とを比較する第一の比較手段と、前記第一の数値データが前記基準値に満たない場合には、前記第一の数値データと、前記第一のセルと同一の列に隣接する第二のセルに記憶された第二の数値データの合計値を算出する算出手段と、前記基準値と前記合計値とを比較する第二の比較手段と、前記合計値が前記基準値を超える場合には、前記第二のセルを新たなマージの基点として選択し、前記合計値が前記基準値に満たない場合には、前記第一のセルと前記第二のセルをマージした第三のセルを設定して前記合計値を記憶させ、前記第三のセルを新たなマージの基点として選択する第二の選択手段と、前記第二の選択手段が前記新たなマージの基点として選択するセルが列の最端にあってマージの方向に隣接するセルが存在しない場合には、前記新たなマージの基点として選択するセルが存在する列に隣接する列の最端のセルを、新たなマージの基点として選択する第三の選択手段と、前記第一の記憶手段と同じマトリックス構造に配置されたセルに、前記第二の選択手段によるマージによって設定されたセルを反映して、各々のセルに含まれるサンプルデータの件数を数値データとして記憶する第二の記憶手段と、を備えることを特徴とするデータマージシステムである。
【手続補正３】
【補正対象書類名】明細書
【補正対象項目名】００１６
【補正方法】変更
【補正の内容】
【００１６】
本願にかかる課題を解決する第２の発明は、マトリックス状に配置されたセルに数値データが記憶された第一の記憶手段から、前記セルをマージしてスコアリングモデルとして用いられる第二の記憶手段を生成するデータマージシステムであって、異なる因子を座標軸とするマトリックス構造に配置されたセルに、各々の因子に該当するサンプルデータの件数を数値データとして記憶する第一の記憶手段と、マージの基点として、前記第一の記憶手段において、第一のセルを選択する第一の選択手段と、前記第一のセルに記憶された第一の数値データと予め設定された基準値とを比較する第一の比較手段と、前記第一の数値データが前記基準値に満たない場合には、前記第一の数値データと、前記第一のセルと同一の列に隣接する第二のセルに記憶された第二の数値データの合計値を算出し、前記第一のセルと前記第二のセルをマージした第三のセルを設定して前記合計値を記憶させるマージ手段と、前記基準値と前記合計値とを比較する第二の比較手段と、前記合計値が前記基準値を超える場合には、前記第三のセルのマージの方向に隣接する第四のセルを新たなマージの基点として選択し、前記合計値が前記基準値に満たない場合には、前記第三のセルを新たなマージの基点として選択する第二の選択手段と、前記第二の選択手段が新たなマージの基点として選択するセルが列の最端にあってマージの方向に隣接するセルが存在しない場合には、前記新たなマージの基点として選択するセルが存在する列に隣接する列の最端のセルを、新たなマージの基点として選択する第三の選択手段と、前記第一の記憶手段と同じマトリックス構造に配置されたセルに、前記マージ手段によるマージによって設定されたセルを反映して、各々のセルに含まれるサンプルデータの件数を数値データとして記憶する第二の記憶手段と、を備えることを特徴とするデータマージシステムである。
【手続補正４】
【補正対象書類名】明細書
【補正対象項目名】００２１
【補正方法】変更
【補正の内容】
【００２１】
第１の発明及び第２の発明は、同一の列に隣接するセルからマージを開始することを特徴としているが、逆に同一の行に隣接するセルからマージを開始することとしても、同様にセル内に記録されている数値が微少になることを回避し、かつセルをマージすることで全体のセル数を削減する効果を生じさせることができる。
【手続補正５】
【補正対象書類名】明細書
【補正対象項目名】００２２
【補正方法】変更
【補正の内容】
【００２２】
つまり、本願にかかる課題を解決する第３の発明は、マトリックス状に配置されたセルに数値データが記憶された第一の記憶手段から、前記セルをマージしてスコアリングモデルとして用いられる第二の記憶手段を生成するデータマージシステムであって、異なる因子を座標軸とするマトリックス構造に配置されたセルに、各々の因子に該当するサンプルデータの件数を数値データとして記憶する第一の記憶手段と、マージの基点として、前記第一の記憶手段において、第一のセルを選択する第一の選択手段と、前記第一のセルに記憶された第一の数値データと予め設定された基準値とを比較する第一の比較手段と、前記第一の数値データが前記基準値に満たない場合には、前記第一の数値データと、前記第一のセルと同一の行に隣接する第二のセルに記憶された第二の数値データの合計値を算出する算出手段と、前記基準値と前記合計値とを比較する第二の比較手段と、前記合計値が前記基準値を超える場合には、前記第二のセルを新たなマージの基点として選択し、前記合計値が前記基準値に満たない場合には、前記第一のセルと前記第二のセルをマージした第三のセルを設定して前記合計値を記憶させ、前記第三のセルを新たなマージの基点として選択する第二の選択手段と、前記第二の選択手段が新たなマージの基点として選択するセルが行の最端にあってマージの方向に隣接するセルが存在しない場合には、前記新たなマージの基点として選択するセルが存在する行に隣接する行の最端のセルを、新たなマージの基点として選択する第三の選択手段と、前記第一の記憶手段と同じマトリックス構造に配置されたセルに、前記第二の選択手段によるマージによって設定されたセルを反映して、各々のセルに含まれるサンプルデータの件数を数値データとして記憶する第二の記憶手段と、を備えることを特徴とするデータマージシステムである。
【手続補正６】
【補正対象書類名】明細書
【補正対象項目名】００２３
【補正方法】変更
【補正の内容】
【００２３】
本願にかかる課題を解決する第４の発明は、マトリックス状に配置されたセルに数値データが記憶された第一の記憶手段から、前記セルをマージしてスコアリングモデルとして用いられる第二の記憶手段を生成するデータマージシステムであって、異なる因子を座標軸とするマトリックス構造に配置されたセルに、各々の因子に該当するサンプルデータの件数を数値データとして記憶する第一の記憶手段と、マージの基点として、前記第一の記憶手段において、第一のセルを選択する第一の選択手段と、前記第一のセルに記憶された第一の数値データと予め設定された基準値とを比較する第一の比較手段と、前記第一の数値データが前記基準値に満たない場合には、前記第一の数値データと、前記第一のセルと同一の行に隣接する第二のセルに記憶された第二の数値データの合計値を算出し、前記第一のセルと前記第二のセルをマージした第三のセルを設定して前記合計値を記憶させるマージ手段と、前記基準値と前記合計値とを比較する第二の比較手段と、前記合計値が前記基準値を超える場合には、前記第三のセルのマージの方向に隣接する第四のセルを新たなマージの基点として選択し、前記合計値が前記基準値に満たない場合には、前記第三のセルを新たなマージの基点として選択する第二の選択手段と、前記第二の選択手段が新たなマージの基点として選択するセルが行の最端にあってマージの方向に隣接するセルが存在しない場合には、前記新たなマージの基点として選択するセルが存在する行に隣接する行の最端のセルを、新たなマージの基点として選択する第三の選択手段と、前記第一の記憶手段と同じマトリックス構造に配置されたセルに、前記第二の選択手段によるマージによって設定されたセルを反映して、各々のセルに含まれるサンプルデータの件数を数値データとして記憶する第二の記憶手段と、を備えることを特徴とするデータマージシステムである。